(57)【要約】  本発明は、バックライトＬＥＤストリングによる表示のインテリジェント制御に関する装置および技術を開示している。本発明は、領域ごとのベースでディスプレイの輝度を制御することと、フレームの期間内に複数回、輝度を調整することとを提供する。本発明はまた、いくつかの色をエンファシスしたり、いくつかの色をデエンファシスしたりする方法でバックライトの調整を提供する。本発明はまた、アンビエント温度に基づいたバックライトの調整を提供する。【選択図】    図１
2011512548.tif 000002
【特許請求の範囲】
【請求項１】
電子ディスプレイにおいて、
発光ダイオード（ＬＥＤ）の複数のストリングと、
前記ＬＥＤの複数のストリングの光度を制御する第１の回路と、
ビデオの複数の画像フレームを表示する複数のピクセルと、
前記複数のピクセルを制御する第２の回路と、
予め定められた時間期間にわたって、前記複数の画像フレームのそれぞれの画像フレームを表示する前記第２の回路と、
前記予め定められた時間期間内に複数回、前記ＬＥＤの複数のストリングの光度レベルを調整する前記第１の回路とを具備する電子ディスプレイ。
【請求項２】
前記予め定められた時間期間は、約１／３０秒を含む請求項１記載のディスプレイ。
【請求項３】
前記複数回は、１、２、３、４、５、６、７、８、９、および１０の集合から選択された数である請求項１記載のディスプレイ。
【請求項４】
前記予め定められた時間期間は、ＶＳＹＮＣ信号のパルスの２つの連続的な立ち上がり端間の時間期間である請求項１記載のディスプレイ。
【請求項５】
前記ＶＳＹＮＣ信号の２つの連続的なパルスの発生間に複数回、前記複数のＬＥＤストリングの光度を調整するように構成されている前記第１の回路をさらに具備する請求項１記載のディスプレイ。
【請求項６】
前記ＬＥＤの複数のストリングは、レッドＬＥＤのストリング、ブルーＬＥＤのストリング、およびグリーンＬＥＤのストリングを含む請求項１記載のディスプレイ。
【請求項７】
前記複数のピクセルのうちの第１の組のピクセルに関係する第１のディスプレイセクションと、
前記複数のピクセルのうちの第２の組のピクセルに関係する第２のディスプレイセクションと、
前記第１のセクションに関係する前記複数のストリングのうちの第１の組のストリングと、
前記第２のセクションに関係する前記複数のストリングのうちの第２の組のストリングと、
前記第１の組のピクセルによって表示されている画像フレームの部分にしたがって前記第１の組のストリングの光度を調整し、前記第２の組のピクセルによって表示されている前記画像フレームの部分にしたがって前記第２の組のストリングの光度を調整するように構成されている前記第１の回路とをさらに具備する請求項１記載のディスプレイ。
【請求項８】
前記第１の回路に結合されているアンビエント光センサと、
アンビエント照明条件に基づいて、前記ＬＥＤの複数のストリングの光度レベルを調整するように構成されている前記第１の回路とをさらに具備する請求項１記載のディスプレイ。
【請求項９】
前記第１の回路は、ＬＥＤのレッドストリングの光度を、ＬＥＤのグリーンストリングの光度レベルとは異なる光度レベルに調整するように構成されている請求項８記載のディスプレイ。
【請求項１０】
前記ディスプレイは、液晶ディスプレイである請求項１記載のディスプレイ。
【請求項１１】
ラスターブランキング間隔の間に、前記ＬＥＤの複数のストリングの光度レベルをゼロにさせる前記第１の回路をさらに具備する請求項１記載のディスプレイ。
【請求項１２】
前記ＬＥＤの複数のストリングは、レッドＬＥＤのストリングと、ブルーＬＥＤのストリングと、グリーンＬＥＤのストリングとからなるグループから選択された、ＬＥＤの１つ以上のストリングと、ホワイトＬＥＤのストリングとを組み合わせたものを含む請求項１記載のディスプレイ。
【請求項１３】
電子ディスプレイのための方法において、
基準周波数の倍数である周波数を有するクロック信号を発生させることと、
前記クロック信号を使用して、前記ディスプレイのバックライティング回路を制御することとを含む方法。
【請求項１４】
前記基準周波数は、ＶＳＹＮＣ信号の周波数を含む請求項１３記載の方法。
【請求項１５】
前記ディスプレイのバックライティング回路を制御することは、前記クロック信号の前記周波数でＬＥＤのストリングの光度レベルを調整することを含む請求項１３記載の方法。
【請求項１６】
単一のビデオフレームの表示の間に複数回、前記ＬＥＤのストリングの光度レベルを調整する請求項１５記載の方法。
【請求項１７】
前記ＬＥＤの色とアンビエント光条件とに基づいて、前記ＬＥＤのストリングの光度を調整する請求項１５記載の方法。
【請求項１８】
液晶ディスプレイにおいて、
レッドＬＥＤのストリングと、グリーンＬＥＤのストリングと、ブルーＬＥＤのストリンクとを備える、発光ダイオード（ＬＥＤ）の複数のストリングと、
前記ＬＥＤの複数のストリングの光度を制御する第１の回路と、
ビデオの複数の画像フレームを表示する複数のピクセルと、
前記複数のピクセルを制御する第２の回路と、
ＶＳＹＮＣ信号の周波数によって決定された予め定められた時間期間にわたって、前記複数の画像フレームのそれぞれの画像フレームを表示する前記第２の回路と、
前記予め定められた時間期間内に複数回、前記ＬＥＤの複数のストリングの光度レベルを調整する前記第１の回路とを具備する液晶ディスプレイ。
【請求項１９】
前記予め定められた時間期間は、約１／３０秒を含む請求項１８記載のディスプレイ。
【請求項２０】
前記複数回は、１、２、３、４、５、６、７、８、９、および１０からなるグループから選択された数である請求項１８記載のディスプレイ。
【請求項２１】
前記第１の回路は、前記ＶＳＹＮＣ信号の周波数よりも高い周波数を有するクロック信号を発生させ、前記クロック信号周波数にしたがって、前記ＬＥＤのストリングの光度レベルを調整する請求項１８記載のディスプレイ。
【請求項２２】
前記第１の回路は、アンビエント光条件に基づいて、レッドＬＥＤのストリングの光度を、ブルーＬＥＤのストリングの光度レベルとは異なる光度レベルに調整する請求項１８記載のディスプレイ。
【発明の詳細な説明】
【発明の分野】
【０００１】
本発明は、電子ディスプレイ技術に関する。さらに詳細に説明すると、本発明は、電子ディスプレイのバックライトにおける発光ダイオード（ＬＥＤ）の輝度を制御することに関する。
【発明の背景】
【０００２】
液晶ディスプレイ（ＬＣＤ）を含む厚膜ディスプレイおよび薄膜ディスプレイに光を当てるために、バックライトが使用される。バックライト付きＬＣＤは、セル電話機およびパーソナルデジタルアシスタント（ＰＤＡ）用の小さいディスプレイにおいて使用されるとともに、コンピュータモニタおよびテレビジョン用の大きいディスプレイにおいても使用される。一般的に、バックライトの光源は、１つ以上の冷陰極蛍光灯（ＣＣＦＬ）を含む。バックライトの光源はまた、白熱電球、エレクトロルミネセンスパネル（ＥＬＰ）、または１つ以上の熱陰極蛍光灯（ＨＣＦＬ）を含んでいてもよい。
【０００３】
ディスプレイ産業は、バックライト技術における、光源としてのＬＥＤの使用を熱心に進めている。その理由は、ＣＣＦＬには、多くの欠点がある：ＣＣＦＬは、低温で容易に点火しなかったり、点火するのに十分なアイドル時間が必要であったり、デリケートな取り扱いが必要であったりするからである。ＬＥＤは、一般的に、発生された光と消費される電力の比が他のバックライト源よりも高い。ゆえに、ＬＥＤバックライト付きのディスプレイは、他のディスプレイよりも消費電力が少ない。
【０００４】
完全な薄暗さから完全な明るさに切り替えるために、ＬＥＤは非常に短い時間期間しか、例えば、約１００ナノ秒しか必要としないので、ＬＥＤはＣＣＦＬと比較して効果的である。ＣＣＦＬや、ＨＣＦＬや、白熱灯は、完全な薄暗さから完全な明るさに切り替えるために、ミリ秒よりも多く必要であることがある。ＬＥＤバックライティングは、従来、小さくて、費用がかからないＬＣＤパネルにおいて使用されてきた。しかしながら、コンピュータや、テレビジョンに使用されるディスプレイのような大きいディスプレイにおけるＬＥＤバックライティングは、ますます一般的になっている。大きいディスプレイでは、十分なバックライトをＬＣＤディスプレイに提供するために、複数のＬＥＤが必要とされる。
【０００５】
さまざまなサイズの費用がかからないＬＣＤディスプレイの急増により、ディスプレイは、多数の用途で使用されている。例えば、今日、グローバルポジショニングシステム（ＧＰＳ）デバイスのようなデバイスでは、ＬＣＤディスプレイは、一般的に、自動車用途で使用され、テレビジョンおよびＤＶＤプレイヤーのようなエンターテメントシステムにおいても使用されている。
【０００６】
ＬＥＤバックライトの輝度を制御するために、パルス幅変調（ＰＷＭ）が用いられることが多い。信号または電源のＰＷＭは、負荷に送られる電力の量を制御するために、信号または電源のデューティーサイクルの変調を含む。ＰＷＭは、デューティーサイクルを変調する方形波を使用し、結果的に、波形の平均値の変化が生じる。ＰＭＷは、光の、ある輝度の持続的な出力を生じさせるために持続的な電圧をＬＥＤに提供する代わりに、ＰＷＭは、明るい光の放出を生じさせる高電圧と、発光を生じさせない低電圧とを交番させる。
【０００７】
ＰＷＭでは、ＬＥＤはあまりにも早く切り替わるので、人間の目は、オンオフ状態を認識せずに、光の輝度を認識し、光の輝度は、オン状態の期間に依存する。現在、バックライティングに対する調整は、ピクセル回路によって表示されている画像とは無関係に行われる。例えば、ブライトネスの２つの異なるレベルのみ：フルパワーモードの間のブライトネスのより高いレベルと、バッテリーパワーモードの間のブライトネスのより低いレベルとを提供するように、ラップトップは、一般的に、ファクトリ設定されている。ある先行技術は、それぞれのフレームの最初にバックライト輝度を調整することも開示している（米国特許番号第７，１３８，９７４号参照）。
【０００８】
ビデオ制作や、アニメーションや、関連分野では、フレームは、完全な映画を構成する多くの静止画像のうちの１つである。デジタルビデオ技術の発達の前、フレームは、写真フィルムの長いストリップ上に記録され、個別に調べると、それぞれの画像は、フレームに入れられた写真のように見えたので、この名前となっている。映画が表示されると、それぞれのフレームは、短時間（通常、１／２４秒、１／２５秒、または１／３０秒）にわたってスクリーン上でさっと送られ、すぐに次のものに置き換えられる。残像は、互いにフレームを混合し、動画の錯覚を生じさせる。１／２４秒、１／２５秒、または１／３０秒といったさまざまな時間の単位として、時には、ビデオフレームが使用されることもあり、これにより瞬時イベントが６フレーム続くと言えるかもしれない。フレームレート、すなわち、シーケンシャルフレームが提示されるレートは、使用されているビデオ標準規格によって変わる。北米および日本では、１秒あたり３０フレームがブロードキャストの標準規格であり、今日、高解像度ビデオの制作では、１秒あたり２４フレームが一般的である。世界のその他の国々の大部分では、１秒あたり２５フレームのレートが標準規格である。
【０００９】
バックライトがそれぞれのフレームにつき１度だけ調整されるという、先行技術のこのフレームごとのバックライト制御には、いくつかの欠点がある。例えば、非常に暗い画像が明るい画像にすぐに後続するとき、フレームごとの制御技術は、望ましくない視覚的アーティファクトを結果的に生じさせることがある。同様に、表示されている画像の一部分が明るく、別の部分が暗いフレームに対して、フレームごとの制御技術は、望ましくない視覚的アーティファクトを結果的に生じさせることがある。本発明の装置および技術は、これらの欠点を克服し、他の独特な特徴を提供する。
【発明の概要】
【００１０】
本発明は、ディスプレイのバックライティングを制御するための新規な装置および技術を提供する。本発明の１つの観点にしたがって、フレームの期間内に複数回、バックライトの輝度が調整される。この特徴は、ディスプレイの光度を設定する際に、さらなる柔軟性を提供し、２つの連続的なフレームの光度間の段階的な移行、例えば、明るいフレームから暗いフレームへの移行を行うための能力も提供する。本発明の別の観点では、ディスプレイは、多数のタイルまたはセクションに分割され、それぞれのタイルに対するバックライティングは、別々に制御される。この特徴は、ディスプレイに対する優れたコントラスト制御を提供する。本発明のさらなる別の観点では、バックライティングは、アンビエント照明と、認識される色に対するアンビエント照明の影響とに基づいて調整できる。本発明の特徴は、ディスプレイに対する向上したコントラスト比や、視覚的アーティファクトの除去または減少や、アンビエント照明条件に基づいて色を選択的にエンファシスしたり、デエンファシスしたりする柔軟性を提供する。
【図面の簡単な説明】
【００１１】
本発明の上記および他の目的、ならびに効果は、同じ参照文字が全体を通して同じ部分を参照している図面を考慮に入れた、以下の詳細な説明の考慮時に明らかになるであろう。  
【図１】図１は、本発明のディスプレイのための機能ブロック図を図示している。
【図２】図２は、本発明の例示的なバックライティングシステムを図示している。
【図３】図３は、本発明の制御回路の例示的な機能ブロック図を図示している。
【図４】図４は、本発明の例示的な波形を図示している。
【図５】図５は、本発明の例示的なバックライティングシステムの構成を図示している。
【図６】図６は、本発明の制御回路の例示的な機能ブロック図を図示している。
【発明の詳細な説明】
【００１２】
図１は、本発明を実現できる、液晶ディスプレイ（ＬＣＤ）のような一般的なディスプレイ向けの機能ブロック図を図示している。ディスプレイ１００は、ピクセル回路１０２と、バックライティング回路１０４と、ディスプレイ制御装置１０６とを備えている。ピクセル回路１０２は、ディスプレイにわたって行および列のマトリクスで配置されている非常に多数のピクセルを、例えば、２百万のピクセルを含んでいる。ピクセルは、画像をレンダリングするために使用される。ピクセル回路１０２はまた、ピクセルを選択し、画像データをピクセルに提供するための行列ドライバーも備えている。
【００１３】
バックライティング回路１０４は、ディスプレイ１００にわたって配置されている発光ダイオード（ＬＥＤ）の多数のストリングを備えている。一般的に、それぞれのストリングは、一端で電源と、他端で接地とに結合されている。ＬＥＤのそれぞれのストリングは、レッド、ブルー、またはグリーンＬＥＤのいずれかを備えていることが好ましい。さまざまな所望の色を提供するために、ＬＥＤストリングを選択的に点滅させることができる。ピクセル回路１０２およびバックライティング回路１０４は、ディスプレイ制御装置１０６によって制御される。ディスプレイ制御装置１０６は、例えば、テレビまたはラップトップコンピュータのような、ディスプレイをハウジングする製品のシステム制御装置の一部であり、また、製品の製造業者によって提供される。
【００１４】
ディスプレイ制御装置１０６は、汎用マイクロコンピュータまたは特別目的マイクロコンピュータのいずれであってもよい。ディスプレイ制御装置１０６は、単一の集積回路（ＩＣ）チップまたは複数のＩＣチップ上で実現できる。ディスプレイ制御装置１０６は、プログラマブルまたは非プログラマブルであってもよい。ディスプレイ制御装置１０６は、ハードウェア、ソフトウェア、またはファームウェアで実現されてもよい。
【００１５】
図２は、８つのＬＥＤストリング２０２、２０４、２０６、２０８、２１０、２１２、２１４、および２１６を備えている例示的なバックライティングシステム１０４を図示している。ＬＥＤストリング２０２、２０４、２０６、および２０８は、グリーンＬＥＤを備えている。ＬＥＤストリング２１０および２１２は、レッドＬＥＤを備えている。ＬＥＤストリング２１４および２１６は、ブルーＬＥＤを備えている。それぞれのストリング２０２、２０４、２０６、２０８、２１０、２１２、２１４、または２１６は、８個の、１０個の、または他の数のＬＥＤを備えることができる。ディスプイレイ制御装置１０６は、フィードバック信号をＬＥＤストリング２０２、２０４、２０６、２０８、２１０、２１２、２１４、および２１６から受け取り、フィードバック信号を使用して、電源２２０を制御し、電源２２０は、ＬＥＤストリング２０２、２０４、２０６、２０８、２１０、２１２、２１４、および２１６に駆動電圧を提供する。本発明の好ましい実施形態では、ＬＥＤは、パッケージで実現され、それぞれのパッケージは、いくつかのレッドＬＥＤや、いくつかのブルーＬＥＤや、いくつかのグリーンＬＥＤを有している。また、本発明の好ましい実施形態では、それぞれのストリングは、特定の色のみのＬＥＤを備えている。したがって、図２の好ましい実施形態では、さまざまな色のＬＥＤストリングが関係し合っている。
【００１６】
一般的なテレビジョンおよびコンピュータシステムにおいて、ディスプレイ制御装置１０６は、ＨＳＹＮＣおよびＶＳＹＮＣ信号を使用して、ピクセル回路１０４を制御する。人間の目における残像により動画を形成するために、ディスプレイ装置は、１秒あたり約３０個のフレームを示さなければならない。それぞれのフレームは複数の走査線を含み、それぞれの走査線は複数のピクセルを含む。したがって、ディスプレイ制御装置１０６を経由して、画像処理システムからピクセル回路１０４によって受け取られる画像信号は、一連のピクセルに対応しているデータを含んでいる。
【００１７】
ディスプレイ制御装置１０６がそれぞれのピクセルデータに対応している場所を確実に位置付けできるようにするために、ピクセルデータの他に、画像処理システムは、走査線の開始を示すための水平同期（ＨＳＹＮＣ）信号と、フレームの開始を示すための垂直同期（ＶＳＹＮＣ）信号とをディスプレイ制御装置１０６に提供する。ＨＳＹＮＣおよびＶＳＹＮＣ信号は、実質的にクロック信号である。１つの実施形態では、ＨＳＹＮＣ信号およびＶＳＹＮＣ信号のタイミングパルスの立ち上がり端（すなわち、低レベル状態から高レベル状態への変化）によって、それぞれ、新しい走査線の開始および新しいフレームの開始をトリガできる。
【００１８】
その実施形態では、ディスプレイ制御装置１０６が、ＨＳＹＮＣ信号のタイミングパルスのうちの１つの立ち上がり端を検出したとき、これに関して受け取られた後続するピクセルデータは、次の走査線に属しているものと解釈されるだろう。そして、ディスプレイ制御装置１０６が、ＶＳＹＮＣ信号のタイミングパルスのうちの１つの立ち上がり端を検出したとき、これに関して受け取られた後続するピクセルデータは、次のフレームに属しているものと解釈されるだろう。この方法で、画像信号を順々に正しくデコードして表示できる。別の実施形態では、新しい走査線および新しいフレームを開始するために、それぞれ、ＨＳＹＮＣおよびＶＳＹＮＣパルスの立ち下がり端をディスプレイ制御装置１６０によって使用できることを、当業者は正しく認識するだろう。
【００１９】
図３は、本発明のディスプレイ制御装置１０６の例示的な機能ブロック図を図示している。ディスプレイ制御装置１０６は、マイクロコンピュータ３０４を備えている。マイクロ制御装置３０４は、乗算回路と、メモリ３０８と、色回路３１０とに結合されているマイクロプロセッサ３０２を備えている。マイクロプロセッサ３０２は、汎用マイクロプロセッサまたは特別目的マイクロプロセッサであってもよく、プログラマブルまたは非プログラマブルであってもよい。メモリ３０８は、乗算回路３０６と色回路３１０とに結合されている。
【００２０】
メモリ３０８は、ランダムアクセスメモリ（ＲＡＭ）、リードオンリーメモリ（ＲＯＭ）、キャッシュ、バッファ、一時記憶装置、レジスタ、動的メモリ、またはこれらに類するものであってもよい。メモリ３０８は、乗算回路３０６と色回路３１０とに結合されている。乗算回路３０６は、基準周波数の倍数である周波数を持つクロック信号を発生させるように構成されている。乗算回路３０６は、ハードウェア、ソフトウェア、またはファームウェアで実現されてもよい。乗算回路は、プログラマブルまたは非プログラマブルであってもよい。１つの実施形態では、乗数値は、ユーザプログラマブルであってもよい。別の実施形態では、乗数値は、ファクトリにおいて永続的に設定されてもよい。さらなる別の例では、表示されるフレームの光度の変化や、アンビエント照明条件のような要因を考慮することによって、乗数値は、実行中に設定されても、または、周期的に調整されてもよい。
【００２１】
１つの実施形態では、画像処理システム３１２は、直接的に、または、マイクロプロセッサ３０２を経由して、基準信号としてＶＳＹＮＣ信号を乗算器回路３０６に提供する。別の実施形態では、ＶＳＹＮＣ周波数は、乗算器回路３０６またはマイクロプロセッサ３０２にプログラム化される。乗算器回路は、クロック信号を発生させ、以下ではこのクロック信号をバックライト制御クロックと呼ぶ。この信号は、ＶＳＹＮＣ信号周波数の倍数である周波数を有する。１つの実施形態では、バックライト制御クロックは、ＶＳＹＮＣ信号周波数よりも大きい、例えば、２、３、４、５、１０、１２、１５、または２０倍といった、ＶＳＹＮＣ信号周波数の整数の倍数である周波数を有する。１つの実施形態では、バックライト制御クロックは、ＶＳＹＮＣ信号周波数の分数である周波数を有する。１つの実施形態では、バックライト制御クロックは、ＶＳＹＮＣ信号周波数よりも大きい、例えば、２．３、３．６、４．１、４．５、１０．３、１０．６、１５．４、または２０．３倍といった、ＶＳＹＮＣ信号周波数の非整数の倍数である周波数を有する。図４は、本発明の例示的なバックライト制御クロックを図示しており、図４では、バックライト制御クロックは、ＶＳＹＮＣ信号の周波数の２倍を有する。
【００２２】
マイクロプロセッサ３０２は、バックライト制御クロックを使用して、バックライト回路１０４のストリング２０２−２１６を制御する。特に、マイクロプロセッサ３０２は、バックライト制御クロックの周波数でストリング２０２−２１６の光度を調整する。１つの実施形態では、マイクロプロセッサ３０２は、バックライト制御クロックのそれぞれのパルスの立ち上がり端でストリング２０２−２１６の光度を調整する。１つの実施形態では、マイクロプロセッサ３０２が、バックライト制御クロックのそれぞれのパルスの立ち下がり端でストリング２０２−２１６の光度を調整する。１つの実施形態では、マイクロプロセッサ３０２が、バックライト制御クロックのそれぞれのパルスの高電圧部の間にストリング２０２−２１６の光度を調整する。１つの実施形態では、マイクロプロセッサ３０２が、バックライト制御クロックのそれぞれのパルスの低電圧部の間にストリング２０２−２１６の光度を調整する。
【００２３】
ストリング２０２−２１６の光度は、ストリング２０２−２１６の駆動電圧および駆動電流を変えることによって調整される。一例として、バックライト制御クロックがＶＳＹＮＣ信号の周波数の２倍を有する場合、ストリング２０２−２１６の光度は、それぞれのフレームのレンダリングの間に２度、調整されるだろう。したがって、暗いフレームが明るいフレームに後続する場合、マイクロプロセッサ３０２は、明るいフレームのレンダリングの半分を過ぎてストリング２０２−２１６の光度を低下させることができ、これにより、明るいフレームから暗いフレームへの即時的な切り替えによって生じるであろう視覚的なアーティファクトを除去または減少させることによって、暗いフレームへの、視覚的によりスムーズな移行を生じさせる。
【００２４】
本発明の技術を使用して、ディスプレイの動作の間にブランキング間隔を提供できる。ブランキング間隔の間、バックライティングはターンオフされる。例えば、ビデオフレームでは、（ブランキング間隔としても知られている）その間に画像がリフレッシュされるラスターブランキング期間中に、視覚的なアーティファクトが存在しないように、バックライトユニットはブランクにされる必要がある。ゆっくりと減衰する光エネルギーを蛍光体が記憶しており、ブランキング間隔中に画像が完全に暗いＣＲＴモニタでは、これは自然に起こる。本発明は、バックライトユニットをシャットダウンすることによってビデオフレームの一部分の間にブランキングを提供するために同期化を用いることによって、ＬＣＤモニタに対するブランキング間隔を実現する。これにより、バックライトユニットにおける消費電力が減少され、バックライトユニットの効率が向上する。
【００２５】
図３では、色回路３１０に結合されているセンサ３１４が示されている。センサ３１４は、アンビエント光センサである。色回路３１０は、ハードウェア、ファームウェア、またはソフトウェアで実現される、インテリジェントなプログラマブルユニットであってもよい。色回路３１０は、マイクロプロセッサ３０２の一部、またはマイクロプロセッサ３０２に結合されている独立したユニットであってもよい。本発明の１つの観点では、色回路３１０は、ある色またはいくつかの色が、光度のより高いレベルで、または、光度のより低いレベルで表示されるべきか否かを決定し、よりよい色コンストラスト比を提供するように構成されている。例えば、あるアンビエント光条件は、ビューアーが２つの類似した色を区別するのを困難にするかもしれない。この条件のもとで、例えば、グリーンＬＥＤのストリングのいくつか、または、すべてを、レッドＬＥＤのストリングよりも高い光度レベルで表示すべきか否かを解析して、よりよい色コントラスト比を提供するように、色回路３１０はプログラム化されていてもよい。
【００２６】
ビデオ会議能力のある会議室を、アンビエント照明がある部屋の例とすることができ、ここでは、ビデオカメラにとって最高の性能を得るために、アンビエント光の色が変えられる。この部屋は、潜在的に、視覚的な色の全領域の約３０−４０％（ＮＴＳＣ（国際テレビジョンシステム委員会の色の全領域）の６０％まで）を有しており、色が自然に見えるように、ＬＣＤパネルからの色補償が必要になる。本発明のこのバックライトスキームを使用して、ＮＴＳＣ色の全領域の１００％ないし１１０％へ色スペクトルを向上させることができる。
【００２７】
図５は、本発明のディスプレイ５００の例示的な実施形態を図示しており、図５では、ディスプレイ５００は、８個のタイルに分割されている。それぞれのタイルは、ＬＥＤの多数のストリングを備えている。タイル１はＬＥＤストリング１−１６を備え、タイル２はＬＥＤストリング１７−３２を備え、タイル３はＬＥＤストリング３３−４８を備え、タイル４はＬＥＤストリング４９−６４を備え、タイル５はＬＥＤストリング６５−８０を備え、タイル６はＬＥＤストリング８１−９６を備え、タイル７はＬＥＤストリング９７−１１２を備え、タイル８はＬＥＤストリング１１３−１２８を備えている。それぞれのタイルが、レッド、ブルー、およびグリーンＬＥＤのストリングの混合を備えていることが好ましい。
【００２８】
図６は、本発明のディスプレイのタイル１におけるバックライティングを制御する例示的な機能ブロック図を図示している。タイル１の１６個のＬＥＤストリングは、２つのグループ：ストリング１−８を有するグループ１と、ストリング９−１６を有するグループ２とに分割されて示されている。他の実施形態では、タイル１のストリング１−１６は、さまざまな数のグループに分割でき、または、まったく分割しない。グループ１のストリング１−８は、ローカル制御装置１（ＬＣ１）に結合されており、グループ２のストリング９−１６は、ローカル制御装置２（ＬＣ２）に結合されている。ＬＣ１およびＬＣ２の集積回路チップは、ディスプレイ制御装置１０６に結合されている。
【００２９】
本発明の図５および６の実施形態は、ディスプレイ５００の局所的な制御を提供する。ＬＣ１およびＬＣ２は、プログラマブルモジュールであってもよく、それぞれ、それが割り当てられているタイル１に対する部分のバックライティングを制御するためのそれ自体のバックライト制御信号を発生させる、乗算器回路と、マイクロプロセッサと、色回路と、メモリとを備えている。
【００３０】
当業者は、上記の本発明の技術、構造、および方法は例示であることを正しく認識するだろう。本発明は、本発明の範囲を逸脱することなく、さまざまな実施形態で実現できる。
【図１】
2011512548.tif 000003
【図２】
2011512548.tif 000004
【図３】
2011512548.tif 000005
【図４】
2011512548.tif 000006
【図５】
2011512548.tif 000007
【図６】
2011512548.tif 000008
【国際調査報告】
2011512548.tif 000009